(57)【特許請求の範囲】
【請求項１】
本体に固定可能なガイドレール(９)、移動可能に取り付けられたスライドレール(１０)を有する引出し(１)用の引き出しガイド(８)であって、
少なくとも１つの中間レール(１１)がガイドレール(９)とスライドレール(１０)の間に付随的に配備され、ホルダ(２１、８１、１２１)を有する取付けデバイス(２０、８０、１２０)がスライドレール(１０)上に配備され、該取付けデバイス上に引出し(１)が固定可能な引き出しガイドにおいて、
前記ホルダ(２１、８１、１２１)は力蓄積器のバネ動作に抗してスライドレール(１０)の長手方向に変位可能に取り付けられ、
前記変位可能なホルダ(２１、８１、１２１)は上突起(２２、８２、１２２)を有し、該上突起は引出し(１)の後壁(３)上の開口(７)又は保持デバイス(７０)に挿入可能である、引き出しガイド。
【請求項２】
大凡線形なガイド(５０、８５)が前記ホルダ(２１、８１、１２１)に付与された、請求項１に記載の引き出しガイド。
【請求項３】
前記ガイド(５０、８５)はスライドレール(１０)の側方に配備された、請求項２に記載の引き出しガイド。
【請求項４】
前記変位可能なホルダ(２１、８１、１２１)は、ガイド(５０、８５)に沿って移動可能な低ガイド部(２３、８５、１２３)を有する、請求項１乃至３の何れかに記載の引き出しガイド。
【請求項５】
力蓄積器(２８、９４、１２７)は、伸長方向の前方に力を前記変位可能なホルダ(２１、８１、１２１)に加える、請求項１乃至４の何れかに記載の引き出しガイド。
【請求項６】
引出し(１)は、ラッチされたホルダ(２１、８１、１２１)を介して固定され、更にスライドレール(１０)上に取付け手段を備える、請求項１乃至５の何れかに記載の引き出しガイド。
【請求項７】
移動可能なホルダ(２１、８１、１２１)と取付けデバイスの移動不可能な部分又はスライドレールとの間に、バネ(２８、９４、１２７)が張力を掛けて設けられる、請求項１乃至６の何れかに記載の引き出しガイド。
【請求項８】
前記ホルダ(２１、８１)は、前記スライドレール(１０)の長手方向に直交する水平方向に調整可能である、請求項１乃至７の何れかに記載の引き出しガイド。
【請求項９】
前記ホルダ(２１、８１)はガイド(５０)に取り付けられ、該ガイドは取付けデバイス(２０)のハウジング(３０)上で回転可能、又はスライドレール(１０)に直接取り付けられる、請求項１乃至８の何れかに記載の引き出しガイド。
【請求項１０】
前記取付けデバイス(２０)は、引出し(１)用の垂直調整ユニットを備える、請求項１乃至９の何れかに記載の引き出しガイド。
【請求項１１】
前記ホルダは、調整要素によって垂直に調整可能な、請求項１乃至１０の何れかに記載の引き出しガイド。
【請求項１２】
引出し(１)は、取付けデバイス(２０)上のスライド(４６)により、及び/又は引出し(１)の後壁(３)上の保持デバイス(７０)により、スライドレール(１０)に対して垂直に調整可能である、請求項１乃至１１の何れかに記載の引き出しガイド。
【請求項１３】
垂直調整用に、ホルダ(１２１)は支持要素(７４)間に突起(１２２)が係合し、該支持要素は保持デバイス(７０)内にて引出し(１)の後側に配置され、該保持デバイス(７０)はスライドレール(１０)に対して垂直に移動可能に取り付けられた、請求項１乃至１２の何れかに記載の引き出しガイド。
【請求項１４】
前記垂直調整ユニットは、水平方向に対して対角線方向にガイドされるスライド、又は偏心器、又はネジを有する、請求項１０に記載の引き出しガイド。
【請求項１５】
前記ホルダ(２１、８１)は、水平方向に対して傾くように配列されたガイドに沿って変位可能である、請求項１乃至１４の何れかに記載の引き出しガイド。
【請求項１６】
ガイドは後方下向きに傾斜し、ホルダ(２１、８１)の変位時に、引出し(１)はこのようにクランプした方法でスライドレール(１０)上に固定され、また引出しはスライドレールに対して殆ど遊び無しで押圧する、請求項１５に記載の引き出しガイド。
【請求項１７】
前記ホルダ(２１、８１、１２１)の変位可能な移動路は、ストッパによって画定される、請求項１乃至１６の何れかに記載の引き出しガイド。
【請求項１８】
ホルダを引出しに連結してから、引出しが据え付け終了位置に達するまで、引出しの据え付け時に、後壁(３)又は後壁(３)上の保持デバイス(７０)とホルダ(２１、８１、１２１)の間の距離は殆ど変化しない状態を保つ、請求項１乃至１７の何れかに記載の引き出しガイド。
【請求項１９】
突起(２２、８２、１２２)は少なくともその長さの８０％が引出し(１)及び/又は引出し(１)の後壁(３)の保持デバイス(７０)内を突き通す、請求項１に記載の引き出しガイド。
【請求項２０】
引出し又は引き出しガイドは深さ調整を備え、該深さ調整は引出しとスライドレール間の相対移動を備える、請求項１乃至１９の何れかに記載の引き出しガイド。
【請求項２１】
請求項１乃至２０の何れかに記載の引き出しガイドを少なくとも２つ有して、該引き出しガイド上に引出し(１)が固定される家具の一部又は屋内器具。
【発明の詳細な説明】
【技術分野】
【０００１】
本発明は、引出し用の引き出しガイドに関し、該引出しは本体上で固定可能であるガイドレールと、移動可能に取り付けられたスライドレールを有し、ガイドレールとスライドレール間に少なくとも１つの中間レールが付随的に配備され、ホルダを有する取付けデバイスがスライドレール上に配備され、取付けデバイスに引出しは固定可能である。本発明は引出しを引き出しガイドに取り付ける方法に関する。
【背景技術】
【０００２】
ヨーロッパ公開公報1147725号は、引出し用の引き出しガイドを開示し、垂直方向に調整可能な保持ラグがスライドレール上に配備され、該保持ラグは引出しの開口に挿入可能で前パネルの傾きを調整する。垂直調整は可撓性を可能にするが、スライドレールの長手方向に製造公差が生じ、引出しを保持ラグとスライドレール上の更なる取付け手段間に固定することが複雑になる。引出しの固定に再作業が必要となる。好ましくない場合、保持ラグのみが引出し内の長さが短い要素にまだ係合し、引出しの開き又は閉じ中に生じる傾斜トルクの場合には、保持ラグ内に導入する力は変形又は故障をもたらす。
【０００３】
引出しガイドは国際公開公報2010/020496号にて提案され、引出しをスライドレールに取り付ける捕捉フックがスライドレール上に配備される。この場合、捕捉フックは別個の要素として形成され、スライドレール上に固定され、バネ要素が捕捉フックと引出しの間に付与されて、引出しの後壁を捕捉フック上にバネのように支持する。一定の公差の補償が可能であるが、捕捉フックはスライドレール上に堅く固定されたままである。捕捉フックへの力の導入は、またここでは不利である、何故なら公差故に、捕捉フックは引出しの後壁と一定距離があり、従って不利な場合は、未だ引出し内の長さが短い要素と係合したのみだからである。
【０００４】
従って、本発明の目的は、引出し用の引き出しガイドを付与することであり、引出しの簡単な取り付けを可能にし、更に引出しの長さ公差及び/又は深さ調整を補償する。更に、引出しを引き出しガイドに取り付ける方法も提供される。
この目的は、請求項１の特徴を有する引き出しガイド及び請求項２３の特徴を有する方法によって達成される。
【発明の概要】
【０００５】
本発明に従って、   ホルダを有する取付けデバイスがスライドレール上に配備され、取付けデバイスに引出しは固定可能で、ホルダはスライドレールの長手方向に変位可能に取り付けられ、力蓄積器により引き出しガイドの長手方向に前に向けて予め張力を掛けられる。
引出しがスライドレール上に据え付けられると、ホルダは力蓄積器の力に抗して家具本体の後側に向けて変位し、引出し、ガイドレール又はスライドレールの製造公差は補償される。更に、取付けデバイスの要素の公差は据え付けに負の影響を有さない。ホルダの変位可能な取付け故に、スライドレールの長手方向の深さ調整はまた、簡単な方法で実行される、何故ならホルダはあらゆる場合にて変位可能に取り付けられ、引出しは適切な調整デバイスによってホルダ上にてこの方向に調整可能に固定される。更に、引出しはホルダに予め張力を掛けることにより、スライドレール上で大凡摩擦でロックされたように保持され、干渉する遊びは回避される。更に、ホルダの変位により据え付けはより容易になる、何故なら据え付け時に、ユーザは引出しが正しくホルダに係合し変位したかを感じるからである。
【０００６】
取付けデバイスを簡単に取り付けるべく、ホルダ用にガイドが付与されて、ガイドはスライドレールの側方に取り付けられる。構造的な高さは、取付けデバイスによって悪影響を及ぼされない。ガイドは更なる要素、又はスライドレールと一体化されて形成される。
【０００７】
構造のコンパクト化から、変位可能なホルダは、引出しの後壁上の受け入れ部又は保持デバイス内に挿入可能な上突起と、ガイドに沿って移動可能な下ガイド部を有する。ホルダはこのように、大凡Ｕ字形を有し、曲がった金属板又はブラスチック部分として生産される。
引出しを固定すべく、変位可能なホルダに加えて更なる取付け手段がスライドレール上に配備され、引出しは特にスライドレールにラッチされ、上昇に抗してロックされるように取り付けられる。この場合、ホルダ上への引出しの据え付けは、ツール無しで実行され、引出しの取り外し及び配置を容易にする。
【０００８】
ホルダは、バネによって予め張力が掛けられているのが好ましく、バネは取付けデバイスのハウジングとホルダとの間で張力を掛けている。この場合、バネは引込み又は圧縮バネとして構成され、特にコイルバネとして構成される。バネに代えて、他のタイプの力蓄積器、例えば弾性材又はゴムで作られた弾性及び/又は圧縮可能要素も用いられ得る。この場合、バネは引き出しガイドの長手方向に略平行に配置されるが、引き出しガイドの長手方向及び/又は水平方向に対して傾いても配置され、それにより、引き出しガイドの長手方向に平行な主動作方向に加えて、引き出し方向に直交した少なくとも１つの更なる方向にホルダを引き又は押圧すべく、１以上の力要素が付加的に可能である。
【０００９】
１つの有利な実施形態にて、ホルダはスライドレールの長手方向に直交する水平方向に調整可能である。引出しの水平方向の位置は、ホルダによって設定される。この目的から、例えば、ホルダを有するガイドが、取付けデバイスのハウジング上に回転可能に取り付けられる。或いは、偏心調整、湾曲ガイド又は他の機構が、スライドレールの長手方向に直交する水平方向にホルダを調整する為に配備される。
【００１０】
更なる実施形態において、ホルダ及び/又は引出しはまた、スライドレールに対して垂直に調整可能である。この目的から、引出し用の支持具、ホルダ及び/又は引出しの後壁上の保持デバイスは、対応する垂直調整を可能にする。スライドレールに対する引出しの位置は、垂直調整によって変化し、フロントパネル上の傾き調整も垂直調整によって実行される。
【００１１】
本発明の更なる実施形態に従って、ホルダはガイドに沿って変位可能であり、水平方向に対して傾いて配列される。この実施形態により、スライドレール又は該スライドレールに接続される要素上に引出しをクランプ固定することが可能となり、ガイドは後方に向かって下向きに傾き、このようにして、ホルダの変位時に、クランプ力がスライドレールの長手方向に対して直交するように加えられる。これにより、特に引出しの安定し且つ遊びのない固定が可能になる。
【００１２】
更なる変形例に従って、引出しは底上で中間領域に凹部を有し、従って、開口は後壁上に位置せず、凹部の壁上に位置する。
【００１３】
更なる変形例に従って、ホルダは引き出しの中央に向かって側方内向きに延びる。この場合、突起を有するホルダ及びその「低ガイド部」は、引出しの中央に向かって９０°だけ傾く。引出しの後壁の開口に代えて、例えば角度付けられた板が引出しの底に配置され、該板は開口を含む。この場合、ホルダは角度付けられた板により、引出しに連結される。
【００１４】
本発明に従った引き出しガイドは、特に家具の要素又は屋内器具に用いられて、２つの引き出しガイドの間に引出しを固定する。
この場合、「引出し」の語は、例えば引き出し棚又はワイヤバスケットである引き出しガイドによって変位される全てのタイプの引き出し要素をも含む。
【図面の簡単な説明】
【００１５】
本発明は添付の図面を参照して、複数の実施形態に基づいて、以下により詳細に説明される。
【図１】図１は、本発明に従って、引出しガイドを有する引出しの取付け時を示す斜視図である。
【図２Ａ】図２Ａは、図１の引き出しガイドと引出しの取付け時を示す側面図である。
【図２Ｂ】図２Ｂは、図１の引き出しガイドと引出しの取付け時を示す側面図である。
【図３】図３は、図１の引き出しガイドの取付けデバイスを示す斜視図である。
【図４】図４は、図３の取付けデバイスの分解斜視図を示す。
【図５】図５は、図１の引き出しガイドを部分的に破断した多数の図面である。
【図６】図６は、図１の引き出しガイドを部分的に破断した多数の図面である。
【図７】図７は、図１の引き出しガイドを部分的に破断した多数の図面である。
【図８】図８は、図１の引き出しガイドを部分的に破断した多数の図面である。
【図９】図９は、図１の引き出しガイドを部分的に破断した多数の図面である。
【図１０】図１０は、引き出しガイド用の修正された取付けデバイスの斜視図である。
【図１１】図１１は、引き出しガイド用の修正された取付けデバイスの斜視図である。
【図１２】図１２は、引き出しガイド用の取付けデバイスの修正された実施形態を示す。
【図１３】図１３は、引き出しガイド用の取付けデバイスの修正された実施形態を示す。
【図１４】図１４は、引出し用の引き出しガイドの更なる実施形態を示す。
【図１５】図１５は、引出し用の引き出しガイドの更なる実施形態を示す。
【図１６Ａ】図１６Ａは、引出し用の引き出しガイドの更なる実施形態を示す。
【図１６Ｂ】図１６Ｂは、引出し用の引き出しガイドの更なる実施形態を示す。
【図１７Ａ】図１７Ａは、引出し用の引き出しガイドの更なる実施形態を示す。
【図１７Ｂ】図１７Ｂは、引出し用の引き出しガイドの更なる実施形態を示す。
【図１８Ａ】図１８Ａは、引出し用の引き出しガイドの更なる実施形態を示す。
【図１８Ｂ】図１８Ｂは、引出し用の引き出しガイドの更なる実施形態を示す。
【図１９Ａ】図１９Ａは、引出し用の引き出しガイドの更なる実施形態を示す。
【図１９Ｂ】図１９Ｂは、引出し用の引き出しガイドの更なる実施形態を示す。
【図２０Ａ】図２０Ａは、引出し用の引き出しガイドの更なる実施形態を示す。
【図２０Ｂ】図２０Ｂは、引出し用の引き出しガイドの更なる実施形態を示す。
【図２１Ａ】図２１Ａは、引出し用の引き出しガイドの更なる実施形態を示す。
【図２１Ｂ】図２１Ｂは、引出し用の引き出しガイドの更なる実施形態を示す。
【発明を実施するための形態】
【００１６】
引出し１は、フロントパネル２、後壁３、及びフロントパネル２と後壁３を互いに接続する側壁４を備えている。更に、底５が付与されて、フロントパネル２、後壁３、側壁４及び底５は、木材、金属又は他の材料から生産される。
【００１７】
２つの凹部６が後壁３に配備されて、各凹部６上に１つの引き出しガイド８が設置される。更に、開口７が凹部６の上方にて後壁３に付与されて、該開口にホルダ２１の突起２２が挿入可能であるが、引出し１を引き出しガイド８上のスライドレール１０に固定する。
引き出しガイド８は、全体が引き出されるように構成され、本体上で固定可能なガイドレール９、及びスライドレール１０が移動可能に取り付けられた中間レール１１を備える。更に、ホルダ２１が変位可能に取り付けられた取付けデバイス２０が後側領域にてスライドレール１０上に固定される。
【００１８】
図示の為に、引出し１は最初、底５が両側の２つのスライドレール１０に置かれた状態で設置され、図２Ａ及び図２Ｂに示すように、ホルダ２１上の突起２２が開口７に係合するまで、後方に変位する。突起２２が開口７内を完全に貫いたときは、ホルダ２１の垂直脚部又は対応する付着具が引出しの後壁３に接する。このように、ホルダは引出し１に連結され、設置終了位置の方向に引出し１が更に変位する際に、引出しと共に移動する。この場合、ホルダと引出しの後壁の間の距離は、引出しの支持具の高さ変化故に、変化しないか、又は例えば僅かにのみ変化する。
引出し１は、バネ力又は他の力蓄積器の力に抗して後方に変位し、該力蓄積器はホルダ２１をカバー６２上の前ストッパに抗して前側に予め張力を掛ける。引出し１は取り付け手段(より詳しくは図示しない)によって、例えばラッチにてスライドレール１０上に固定される。引出しをスライドレール上に取り付けるそのようなデバイスは、例えばドイツ公開公報102013104829号から公知であり、引出し用の深さ調整具を備えている。従って、引出しは取付け終了位置に達する。
【００１９】
取付けデバイス２０は、図３及び図４に詳細に示される。
取付けデバイス２０は、上部領域に前側に向かって配列されたピン形状の突起２２と、ガイド５０に沿って線形に変位可能で下部に配備されたウエブ２３を備える。変位の移行路は、ガイド５０上の後壁５３によって後方を画定され、ガイド５０にラッチされたカバー６２によって前方を画定される。ガイド５０は、溝５１を形成し、該溝の側壁には、内向きに突出した歯５２が付与されている。歯５２は、ホルダ２１がガイド５０内で後方に変位したときに、ホルダ２１の歯２５と噛合する。ガイド５０の前領域にて、溝５１の側壁には歯５２は配備されていない。
【００２０】
ホルダ２１はバネ２８の形である力蓄積器によって開方向に予め張力が掛けられて、バネ２８はコイルバネとして構成される。バネ２８の一端部２７は、ウエブ２３上にてホルダ２１の受け入れ部２６内に固定される。バネ２８の他端部２９は取付けデバイス２０のハウジング３０の傾斜部３１に保持され、この目的から傾斜部３１上に他端部２９を挿入するための受け入れ部３２が配備される。或いは、バネ２８の他端部２９はスライドレール上に直接又は間接に保持され、例えばスライドレールから一体に形成された傾斜部に保持される。
【００２１】
本発明の特に有利な効果は、引出しに対してホルダに予め張力を掛けることにより、従来技術に対して、ホルダ２１の突起２２上の力作用が改善する結果となる。十分に負荷が掛けられた引出しが引き出され、及び/又は不正確な動作の場合には、引出しは水平な横軸の回りに傾き、それによりホルダ２１の突起２２が、離昇保護手段として底から頂部に負荷が掛けられる。離昇力Ｆは後壁３の外縁に作用する。ｘｍｍの距離が後壁とホルダ２１の垂直脚部との間に存在すれば、Ｆ×ｘの曲げトルクがこのようにホルダに作用する。この場合、距離寸法ｘは、家具及びガイド要素の長さ公差に依存し、深さ調整の長さに依存し、数ミリメータであり得る。
【００２２】
本発明では、ホルダ２１はバネ力によって引出しの後壁に常に押圧されているから、距離寸法ｘは完全にゼロミリメータ又はゼロミリメータ近傍に設定され、曲げトルクは突起に殆ど作用しない。
取付けデバイス２０は、引出し１の調整が垂直方向にも側方方向にも可能であるように構成される。更に、スライドレール１０の長手方向に平行な深さ調整も可能である。
【００２３】
垂直調整について、ハウジング３０上にスライド４６が配備され、該スライドは水平に対して傾いて配列された楕円孔４７を有する。ハウジング３０のウエブ３４の開口３５に固定されたピン４８が楕円孔４７内に配置される。後壁３３はウエブ３４の端部に付与される。スライド４６を垂直に調整すべく、内部ネジを有する刻み付きナット３８がハウジング３０内に位置して、該刻み付きナットは２つの曲がったタブ３６間に取り付けられて、軸方向に動かないが、ベアリング３７上を回転可能である。回転方向に固定されるが軸方向に変位可能なネジ付きボルト３９が刻み付きナット３８内に配置される。この場合、ネジ付きボルト３９は、レバー４３を有するブロック４０に接続され、ブロック４０の開口４１にラッチされる曲げ可能なベアリングピン４２がレバー４３上に配備される。反対側では、レバー４３は曲げ可能なベアリングピン４４を介してスライド４６内の開口４５にラッチされる。刻み付きナット３８が回転すると、ネジ付きボルト３９は軸方向に移動して、レバー４３を引き又は押し、従ってスライド４６を動かす。スライド４６は、ピン４８上の２つの楕円孔のガイドにより、水平方向に対して斜めに動き、スライド４６の上支持面はハウジング３０及びスライドレール１０に対して上向き又は下向きに動く。引出し１は底５又は側壁４がスライド４６の支持面に支持され、引出し１のスライドレール１０に対する垂直位置はこのように設定される。
【００２４】
据え付け時に、引出し１は最初にホルダ２１の突起２２に向かって動かされる。スライドレール１０上に引出し１を収容するホルダ２１は、バネによって予め張力付けられ、大凡第１ストッパにおけるメインテナンス位置にある。この場合、ホルダ２１の垂直位置は予め規定されている。
【００２５】
次に引出しはスライドレール１０上に置かれ、ホルダ２１は最初に引出しと一緒に終端位置内に押される。この場合、この終端位置は公差により異なる結果となる。それにもかかわらず、バネ力により各終端位置にて、ホルダ２１の引き出しへの接続は完全である。要素の長さ公差及び深さ調整の調整路とは無関係に、据え付けられた引出しの場合、突起２２、８２、１２２はその長さの少なくとも８０％が、引出し１及び/又は引出し１の後壁３上の保持デバイス７０内に突き通す(plunge)ことが従って確実になる。
【００２６】
スライド４６の垂直調整は、突起２２及びホルダ２１とは無関係である。調整は一般に引き出された引出しに関して実行される。図１に見られるように、刻み付きホィールは部分的に挿入された引出しには到達できない。
垂直調整について、引出し１はスライドレール１０上の前取付けデバイスから取り外され、部分的にスライドレール上に置かれるまで、ホルダ/スライドレールから約１０ｃｍ以上の距離を前に向かって下に引かれる。
【００２７】
刻み付きナット３８にアクセスする。刻み付きナット３８によってスライド４６は垂直に調整される。引出し１は、開口７がホルダ２１を突くまで、再び後方に動かされる。突起２２が完全に開口７内に挿入されると、ホルダ２１は引出しと共にバネ力に抗して動く。引出しは底が、スライド４６の傾いた取り入れ斜面を突き、他の垂直レベルに対する傾きに沿って駆け上がる。この場合、ホルダ２１は沿って(また垂直に)運ばれる。更なる移行路中に、ホルダの歯２５はガイド５０の歯５２に噛合し、従って引出しの上向き離昇を防ぐ。
この実施形態では、垂直調整はこのように、据え付けられた引出しに対しては実行されない。しかし、少なくとも一部が据え付けられない引出しには実行される。
【００２８】
取付けデバイス２０は更に、引出し１の位置の側方設定を可能にする。この目的から、ガイド５０はハウジング３０上で回転可能に取り付けられる。ガイド５０はレバーとして構成され、該レバーの一端部５４上には垂直ベアリングピン５６によって貫通されるベアリングスリーブ５５が配備されている。該垂直ベアリングピン５６は更に、ハウジング３０上にてベアリング開口５７上を回転可能に取り付けられている。ガイド５０の中間領域にて、ネジ切られた開口５８がウエブ上に形成され、該開口５８にネジ６０のネジ切られたボルト６１が螺合する。ネジ６０は、リング６７とネジ頭部との間にギャップを形成し、該ギャップにハウジング３０の壁がスロット５９に隣接して挿入され、ネジ６０はハウジング３０内で軸方向に変位できないように保持される。ネジ６０が回転されると、スロット５９内のハウジング３０の壁とガイド５０との間の距離は変化する。ガイド５０はこのように、ベアリングピン５６の回りを回転し、それによって、ホルダ２１の位置は、スライドレール１０の長手方向に直交した水平方向にて変化する。
【００２９】
引出し１が取り外されると、ホルダ２１はガイド５０から取り外されることを阻止される。従って、前領域にガイド５０上にラッチされるカバー６２がガイド５０上に付与される。カバー６２は略Ｕ字形に形成されて、該Ｕ字形の両脚部に２つのウエブ６３が配備され、１つのウエブは開口６４を有する。カバー６２がガイド５０の２つのウエブ上を塞ぐと(plugged)、１つのウエブ上の捕捉突起６５が開口６４内に入り、従ってカバー６２の意図しない取り外しを防ぐ。従って、ホルダ２１は引出し１がストッパとして用いられるカバー６２の上に取り外される間に、押されるだけであり、ホルダ２１が上向きに取り外されて除去されることを防ぐ。
【００３０】
図５において、取付けデバイス２０は引き出しガイド８上に据え付けられる。図６の部分図に見られるように、据え付けられた引出しでは、ホルダ２１の歯２５がガイド５０の歯５２に噛合する。ガイド５０上のホルダ２１の線形の変位はこのように可能であるが、上昇又は下降は不可能である。更に、ガイド５０はハウジング３０内にてベアリングピン５６の回りに、ある程度回転可能であり、ホルダ２１の側方調整もまた実行される。引き出しガイド８が拡張位置に位置すると、ツール無しで手動で調整手順が実行される、何故ならネジ６０と刻み付きナット３８は外部からアクセス可能だからである。これにより、引出し１の位置の便利な設定が可能となる。
【００３１】
図６に示すように、ホルダ２１上にて下向きに突出するウエブ２４は、長手方向に良好に案内されるべく、ガイド５０の溝６６にガイドされる。
据え付け時の引出し１は、図８に示され、突起２２は後壁３の開口７内に挿入される。引出し１は、図９に示すように後壁３がホルダ２１を後方に変位させるまで、更に後方に押される。バネ２８は、所望の終端位置に達するまで、更に張力が掛けられる。この目的から、ホルダ２１はガイド５０上の後壁５３にまで上に動かされるが、後壁５３の位置はまた終了位置として用いられる。
【００３２】
図１０及び図１１は、引き出しガイド８用の取付けデバイス１２０の修正された実施形態を示し、該取付けデバイスは引出し１を固定するのに用いられる。この及び以下の実施形態では、同じ要素について同じ符号が用いられ、修正された要素のみが詳細に記載される。
【００３３】
取付けデバイス１２０は、曲がった金属板から作られたホルダ１２１を備え、該ホルダは前側を向き、引出し１の後壁３の開口７に挿入可能である突起１２２を有する。ホルダ１２１は略Ｃ字形の外形を有し、ウエブ１２３が上突起１２２から離れて形成され、ガイド要素、特にボルト１２４を介して置換可能に取り付けられている。この目的から、曲がった金属板から生産されたガイド１２５上に、楕円孔の形のガイドが形成され、該ガイド内にウエブ１２３上のボルト１２４が係合する。ガイド１２５は、取付け手段１２６、特にスポット溶接又は粘着性のスポットによってスライドレール１０上に固定される。更に、ホルダ１２１とガイド１２５の間で張力が掛けられるバネ１２７が配備され、ホルダ１２１は開き方向に予め張力を掛けられる。この場合、ホルダ１２１は線形のみに変位可能であり、側方調整や垂直調整のような更なる調整機能は省略される。取付けデバイス１２０はこのように、数個の要素のみを用いて簡単な方法で、生産され且つ据え付けられる。
【００３４】
据え付けの為に、引出しは後壁３と共に取付けデバイス１２０に向かって動かされ、図１１に示すように、突起１２２を開口７内に挿入し、ホルダ１２１をバネ１２７の力に抗して変位させる。スライドレール１０の更なる取付け手段上にラッチ又は固定した後に、引出し１はしっかりと保持され、必要であればホルダ１２１を介して長さ補償が実行される。
【００３５】
図１２及び図１３は、図１０及び図１１の例示的な実施形態から修正された例示的な実施形態を示し、ホルダ１２１は上記の通りであるが、保持デバイス７０は引出しの後壁３に配備され、それによって引出し１の垂直調整は後壁３の領域にて実行される。保持デバイス７０は、後壁３上に複数のネジ７２によって固定されるハウジング７１を備えている。複数のロッド形の支持要素７４は、ハウジング７１の凹部上に積層された方法で互いに積み重ねられ、突起１２２は固定用に支持要素７４の積層内に挿入されて、引出しは離昇に抗して取り付けられる。
【００３６】
更に、回転可能なホィール７６を有する調整機構がハウジング７１上に配備されて、該ホィールはハウジング７１上に回転可能に取り付けられ、支持要素７８を垂直に動かし、例えばこの目的から歯付きのラックが配備される。スライドレール１０に対する後壁３の高さは、ホィール７６を回転させることによりこのように調整される。後壁３の所望の高さがホィール７６によって設定された後に、引出し１はホルダ１２１に向かって動かされ、突起１２２は２つの支持要素７４間に押し込み(plunge)、引出し１を保持デバイス７０上に固定する。支持要素７８はハウジング７１内に僅かな遊びを設けて収容され、突起１２２の押し込みを妨害しない。後壁３を有する引出し１はこのように、保持デバイス７０上の所望の垂直位置に固定される。
【００３７】
図１４乃至図２１Ｂは、スライドレール１０上に引出し１を固定するのに用いられる取付けデバイス８０の更なる実施形態を示す。取付けデバイス８０は引出し１の後壁３の開口７内に挿入可能な変位可能なホルダ８１を備えて、スライドレール１０の反対側に引出しを固定する。取付けデバイス８０は図１５に据え付け位置にて示される。
【００３８】
図１６Ａ及び図１６Ｂは、取付けデバイスを引出し１が無い状態で示し、ホルダ８１は開き方向を向いた突起８２を有して、該突起は開口７内に挿入可能である。ホルダ８１は略Ｃ字形に構成されて、下ウエブ８３を備え、該下ウエブは保持ウエブ１００上で変位可能に取り付けられる。保持ウエブ１００は、例えば溶接又は接着によってスライドレール１０上の部分１０１を用いて固定される。拡大頭部を有する上向きに突出したピン８６は、保持ウエブ１００に固定されて、ホルダ８１の下ウエブ８４の楕円孔８５を貫通する。ホルダ８１はこのように、保持ウエブ１００で変位可能に取り付けられる。バネ９４が保持ウエブ１００とホルダ８１の間で張力が掛けられて、バネは引張バネとして構成され、一端側がスライドレール１０に固定された保持ウエブ１００に保持され、反対側がホルダ８１の突起上に保持される。
【００３９】
ホルダ８１は更に、スライドレール１０の長手方向に対して、水平及び直交した方向に調整される。この目的から、上ウエブ８４が下ウエブ８３に配備され、該上ウエブはウエブ８３上に局部的に置かれ、ピン８６及び保持ウエブ１００上を変位可能にガイドされ、楕円孔８５を有する。バネ９４に隣接した領域では、偏心器８７が配備され、該偏心器によって上ウエブ８４はピン８６の周りを下ウエブ８３に対して回転する。この場合、上ウエブ８４はラグ９０によって保持され、上ウエブ８４を側方方向に固定する。この目的から、各場合において、スロット付きの凹部９８が垂直部８９を有する上ウエブ８４及び下ウエブ８３の垂直部に配備され、該凹部９８によりラグ９０がガイドされる。内向きの突起８８がラグ９０の領域にて上ウエブ８４上に配備され、上ウエブは側方方向に変位しない。偏心器８７が調整されると、上ウエブ８４はラグ９０によって保持され、一方、下ウエブ８３はホルダ８１とともに側方に回転する。
【００４０】
更に、ラグ９０に垂直板９１と一体に形成された垂直調整ユニットが配備される。垂直板９１は支持板９２上を変位可能に保持され、支持板９２はスライドレール１０に堅固に接続される。スライドレール１０は側壁に凹部９６を有し、該凹部に支持板９２の上部９７が係合する。更に、支持板９２はスライドレールの外側輪郭を囲み、スライドレール１０と支持板９２は固定ユニットを形成する。支持板９２はスライドレール１０上に溶接されるのが好ましい。複数の垂直な楕円孔９５が支持板９２上に残されて(left out)、該楕円孔は板９１上に固定されたピン９９によって貫通される。更に、偏心器９３が板９１上に固定され、該偏心器は回転可能に取り付けられ、回転移動中に板９１を支持板９２に対して垂直方向に変位させ、それにより、ラグ９０は上昇し又は下降する。偏心器９３に代えて、平ネジ(flat threaded)スピンドルがまた使用される。
【００４１】
側方調整は、図１７Ａ及び図１７Ｂの上面図、及び図１８Ａ及び図１８Ｂの背面図に示される。図１７Ａ及び図１８Ａにおいて、ホルダ８１はスライドレール１０に対しギャップＡを以て配置されている。偏心器８７を回転させることにより、ホルダ８１はボルト８６の周りを回転し、下ウエブ８３を備えたホルダ８１は、図１７Ｂ及び図１８Ｂに示すように、スライドレール１０に向けて回転する。スライドレール１０に対する引出し１の対応する配列は、このように実行される。
【００４２】
取付けデバイス８０の垂直調整は、図１９Ａ及び図１９Ｂに示される。偏心器９３を回転させることにより、板９１は支持板９２に対して垂直に調整され、下降位置は図１９Ａに示され、上昇位置は図１９Ｂに示される。支持板９２に対して垂直板９１を動かすことにより、ラグ９０はそれに応じて、上昇し又は下降する。
【００４３】
図２０Ａ及び図２０Ｂは、ホルダ８１が予め張力を掛けられた状態で、その前ストッパを押し、引出しがその開口７によって突起８２上に既に押された状況を示す。この目的から、取付けデバイス８０が通る区域が示され、下ウエブ８３と上ウエブ８４の領域における偏心器８７の配置が認識される。更に、図２０Ｂに保持ウエブ１００は後側に向けて斜め下向きに角度付けられた部分１０３を有し、該部分１０３は水平に対して２°と２０°の間の角度、特に５°から１０°の間の角度で傾き、傾斜面を形成することが示される。このようにして、下ウエブ８３が水平な予め張力付けられた方向に変位する際は、ホルダ８１が持ち上がる。下ウエブ８３は下向きの突起１０２を有し、部分１０３に沿って変位する間に隆起する。ホルダ８１の隆起により、突起８２は引出しの開口７の中央部に略垂直に隆起する。
引出しの底５は、スライドレール１０と同一面に位置するから、開口７の中央部におけるホルダ８１の最適な高さは従って独自に決定され、それによって突起８２上に引出しを押すことが簡素化される。
【００４４】
図２１Ａ及び図２１Ｂは、引出し１によってホルダ８１が後方に変位した据え付け位置を示すが、最終位置にはまだである。下向きに突出した突起１０２はこのように、傾斜した部分１０３によって下向きに移動し、ホルダ８１は通常位置内に下降する。
【００４５】
据え付け時のホルダ８１の下降は、引出し１を殆ど遊びなく、又はクランプされた方法でスライドレール上に固定するのに用いられ得る。この目的から、下ウエブ８３又はホルダ８１は特に、バネ鋼から生産される。引出しをスライドレール１０上に殆ど遊びなく、又はクランプされた方法で固定することはまた、引出しを後方に押す際に、下ウエブ８３はラグ９０の制御カーブ１２８の制御面１２９にぶつかり(strike with)、下ウエブ８３と共に引出しは更に後方に押される。この場合、制御面１２９は傾いた制御カーブ１２８に沿って後方下向きに動き、それによってホルダの後端は下向きに下降する。この場合、突起８２は引出しの底をラグ９０の上端に向けて引く。
【００４６】
この場合、下ウエブ８３はバネ鋼から製造され、引出しの後方に押すことと協働して(垂直に)クランプする際に、弾性により、公差の補償が可能になる。
例示的な実施形態に示された楕円孔、ピン及び偏心器による調整機構は、勿論当該技術分野の熟練者によって修正される。偏心調整に代えて、カーブしたガイド、ウォームギア又は他の要素は対応する調整を実行する為に付与される。更に、楕円孔を介した線形ガイドは、溝とスライドに当然に置換される。
【００４７】
引出しの後壁３上にホルダ８１を固定する機構は変えることができ、引出し１の据え付け時に、ホルダ８１は斜め下向きに動かされるのが好ましく、引出し１をクランプする方法でスライドレール１０上に固定する。
側壁上に２つの引き出しガイドを有する家具本体を据え付けるために、先ず引出しはスライドレール上に置かれ、後壁の方向に押される。この場合、引出しはホルダ上で動き、従って引出しを長手方向に変位可能にスライドレールに連結する。引出しとホルダは次に、据え付け終了位置までの一緒に連結された位置に変位される。
【００４８】
変位前又は変位時は、引出しはその垂直位置を変え、ホルダを共に動かす。
更に、終了位置までの変位の途中で、ホルダはそのガイド内で長手方向に対して斜めに動き、同時に引出しをスライドレール上にクランプする。
【００４９】
１    引出し
２    フロントパネル
３    後壁
４    側壁
５    底
６    凹部
７    開口
８    引き出しガイド
９    ガイドレール
１０  スライドレール
１１  中間レール
２０  取付けデバイス
２１  ホルダ
２２  突起
２３  ウエブ
２４  ウエブ
２５  歯
２６  受け入れ部
２７  端部
２８  バネ
２９  端部
３０  ハウジング
３１  部分
３２  受け入れ部
３３  後壁
３４  ウエブ
３５  開口
３６  タブ
３７  ベアリング
３８  刻み付きナット
３９  ネジ付きボルト
４０  ブロック
４１  開口
４２  ベアリングピン
４３  レバー
４４  ベアリングピン
４５  開口
４６  スライド
４７  楕円孔
４８  ピン
５０  ガイド
５１  溝
５２  歯
５３  後壁
５４  端部
５５  ベアリングスリーブ
５６  ベアリングピン
５７  ベアリング開口
５８  ネジ付き開口
５９  スロット
６０  ネジ
６１  ネジ付きボルト
６２  カバー
６３  ウエブ
６４  開口
６５  捕捉突起
６６  溝
６７  リング
７０  保持デバイス
７１  ハウジング
７２  ネジ
７４  支持要素
７６  ホィール
７８  支持要素
８０  取付けデバイス
８１  ホルダ
８２  突起
８３  ウエブ
８４  ウエブ
８５  楕円孔
８６  ピン
８７  偏心器
８８  突起
８９  垂直部
９０  ラグ
９１  板
９２  支持板
９３  偏心器
９４  バネ
９５  楕円孔
９６  凹部
９７  ウエブ
９８  凹部
９９  ピン
１００  保持ウエブ
１０１  部分
１０２  突起
１０３  部分
１２０  取付けデバイス
１２１  ホルダ
１２２  突起
１２３  ウエブ
１２４  ボルト
１２５  ガイド
１２６  取付け手段
１２７  バネ
１２８  制御カーブ
１２９  制御面
【図１】
0006577486.tif 000002
【図２Ａ】
0006577486.tif 000003
【図２Ｂ】
0006577486.tif 000004
【図３】
0006577486.tif 000005
【図４】
0006577486.tif 000006
【図５】
0006577486.tif 000007
【図６】
0006577486.tif 000008
【図７】
0006577486.tif 000009
【図８】
0006577486.tif 000010
【図９】
0006577486.tif 000011
【図１０】
0006577486.tif 000012
【図１１】
0006577486.tif 000013
【図１２】
0006577486.tif 000014
【図１３】
0006577486.tif 000015
【図１４】
0006577486.tif 000016
【図１５】
0006577486.tif 000017
【図１６Ａ】
0006577486.tif 000018
【図１６Ｂ】
0006577486.tif 000019
【図１７Ａ】
0006577486.tif 000020
【図１７Ｂ】
0006577486.tif 000021
【図１８Ａ】
0006577486.tif 000022
【図１８Ｂ】
0006577486.tif 000023
【図１９Ａ】
0006577486.tif 000024
【図１９Ｂ】
0006577486.tif 000025
【図２０Ａ】
0006577486.tif 000026
【図２０Ｂ】
0006577486.tif 000027
【図２１Ａ】
0006577486.tif 000028
【図２１Ｂ】
0006577486.tif 000029